(57)【特許請求の範囲】
【請求項１】
走行する車両を撮影する監視カメラと、撮影した画像を処理して前記車両の画像データを抽出し判定する画像処理装置と、前記抽出し判定した画像データを表示する表示部と、を備えた車両監視装置であって、
前記画像処理装置は、前記監視カメラからの画像データに対してエッジ強調を含む画像処理を施す画像処理部と、前記画像処理部からの画像データから前記車両の形状と登録番号を含む特徴データを抽出し判定する撮影画像判定部と、を有し、
前記撮影画像判定部は、車両のナンバープレートに記載された文字認識の成功か否かを判定し、当該判定で否の場合に、前記ナンバープレートの縦方向と横方向のエッジを抽出して当該エッジの傾きから前記監視カメラの傾きを計測し、前記撮影画像のサイズに占める前記ナンバープレートの画像サイズをもとに前記監視カメラの視野幅を計測し、前記監視カメラの傾きの計測結果及び前記視野幅の計測結果に基づいて前記監視カメラの撮影領域の適正か否かの判定を行い、
前記表示部は、前記監視カメラが撮影した撮影画像と、前記監視カメラの取付位置の調整のための案内情報と、の表示を行い、
前記案内情報は、前記監視カメラの撮影領域が適正であるように、前記監視カメラの傾きと前記視野幅を調整する指示を特定するものである
ことを特徴とする車両監視装置。
【請求項２】
請求項１記載の車両監視装置において、
前記監視カメラは、撮影対象となる車両位置との間隔を測定する距離測定装置と、被写体となる車両位置を照明する照明装置と、前記照明装置の照射光量を制御する制御装置と、を備え、
前記距離測定装置の計測結果をもとに前記照明装置の照射光量を制御する
ことを特徴とする車両監視装置。
【発明の詳細な説明】
【技術分野】
【０００１】
本発明は、車両監視装置に係り、特に、車両監視装置を構成する監視カメラの調整を補助する手段を備えた車両監視装置に関する。
【背景技術】
【０００２】
車両監視装置は、走行する車両を監視カメラで撮影し、撮影した画像を解析して前記車両の形状、車色、登録番号等の特徴データを取得する目的で用いられる。このため、車両監視装置は、所定の地点に一定期間設置し、監視カメラによって走行する車両を撮影し、撮影映像をモニタに表示したり、撮影映像を画像処理して前記特徴データを取得して記録したりしている。
【０００３】
近年では、前記車両監視装置を仮設し、１日ないし１週間程度の短期間で設置地点を変更して、再度車両監視するニーズが高まっている。
【０００４】
車両監視装置の設置条件は様々である。また、車両監視装置の設置場所を変更する際には、監視カメラは、その都度適切な撮影映像が得られるように画角等を調整する必要がある。この調整のためには、簡便な調整手法が望まれる。
【０００５】
特許文献１には、車両監視装置における監視カメラの焦点を最適値に自動調整する技術が開示されている。
【先行技術文献】
【特許文献】
【０００６】
【特許文献１】特開２００６−２３５９２１号公報
【発明の概要】
【発明が解決しようとする課題】
【０００７】
前記従来技術によれば走行している車を撮像し、撮像した映像をもとに自動的にフォーカス調整を行い、車番を認識することができる。しかしながら、前記技術は、所定位置に固定して配置される車両監視装置を前提とする技術である。このため、車両監視装置を必要に応じて、必要な場所に移動して設置し、組み立て調整する場合、調整作業が煩雑であり、また、適切に調整するには熟練が必要とされる。
【０００８】
本発明は、これらの問題点に鑑みてなされたもので、車両監視装置の設置および設置後の位置調整を簡易に行うことのできる車両監視装置を提供するものである。
【課題を解決するための手段】
【０００９】
本発明は上記課題を解決するため、次のような手段を採用した。
【００１０】
走行する車両を撮影する監視カメラと、撮影した画像を処理して前記車両の画像データを抽出し判定する画像処理装置と、前記抽出し判定した画像データを表示する表示部と、を備えた車両監視装置であって、
前記画像処理装置は、前記監視カメラからの画像データに対してエッジ強調を含む画像処理を施す画像処理部と、前記画像処理部からの画像データから前記車両の形状と登録番号を含む特徴データを抽出し判定する撮影画像判定部と、を有し、
前記撮影画像判定部は、車両のナンバープレートに記載された文字認識の成功か否かを判定し、当該判定で否の場合に、前記ナンバープレートの縦方向と横方向のエッジを抽出して当該エッジの傾きから前記監視カメラの傾きを計測し、前記撮影画像のサイズに占める前記ナンバープレートの画像サイズをもとに前記監視カメラの視野幅を計測し、前記監視カメラの傾きの計測結果及び前記視野幅の計測結果に基づいて前記監視カメラの撮影領域の適正か否かの判定を行い、
前記表示部は、前記監視カメラが撮影した撮影画像と、前記監視カメラの取付位置の調整のための案内情報と、の表示を行い、前記案内情報は、前記監視カメラの撮影領域が適正であるように、前記監視カメラの傾きと前記視野幅を調整する指示を特定するものである。
【発明の効果】
【００１１】
本発明は、以上の構成を備えるため、車両監視装置の設置および設置後の位置調整を簡易に行うことができる。
【図面の簡単な説明】
【００１２】
【図１】第１の実施形態にかかる車両監視装置の構成を説明する図である。
【図２】監視カメラの使用状態を説明する図である。
【図３】監視カメラで撮影した画像を示す図である。
【図４】撮影映像判定部の処理を説明する図である。
【図５】表示部に表示される監視カメラ画像の例を示す図である。
【図６】第２の実施形態を説明する図である。
【図７】車両までの距離に応じて電流値の増減を行う際の距離と照明装置に供給する電流値の増減量の例を示す図である。
【発明を実施するための形態】
【００１３】
以下、実施形態を添付図面を参照しながら説明する。図１は、本発明の実施形態にかかる車両監視装置の構成を説明する図である。図１に示すように車両監視装置は、監視カメラ１、画像処理装置２、および表示部３を備える。前記監視カメラ１は、照明装置１１、照明装置の発光量を制御する照明制御装置１２およびカメラ１３を備える。画像処理装置２は、画像処理部２１および撮影映像判定部２２を備える。
【００１４】
図２は監視カメラの使用状態を説明する図であり、図２のように、監視カメラ１は監視対象である車両４から５ｍ〜２０ｍ程度はなれた位置から、車両の正面、側面、あるいは上面などを撮影する。
【００１５】
監視カメラ１で撮影した映像信号は、画像処理部２１に伝送される。画像処理部２１は、撮影映像にコントラスト調整、エッジ強調などの画像処理を施した後、撮影画像判定部２２に伝送する。撮影画像判定部２２では映像信号から車両４の形状、車色、登録番号等の特徴データを抽出し、抽出したデータを表示部３に送信する。表示部３では、例えば前記特徴データに加えて前記映像データを表示する。
【００１６】
図３は、監視カメラで撮影した映像を示す。図３において、処理領域５１は、画面中央に位置し、設置条件によらず、撮影する領域であり、この領域にナンバープレート４１が入ることが望ましい。なお、監視カメラの撮影映像５は車両４を撮影して解析するものであることを前提とすると、車両４はカメラの位置調整のための撮影中には停止していることが好ましいが、走行していてもよい。
【００１７】
図４は、撮影映像判定部２２の処理を説明するフローチャートである。図４において、まず、画像処理部２１は、監視カメラ映像を処理して車両４を検出する（ステップＳ２２１）。車両を検知した場合、車両を検知した領域の中からナンバープレート部分（ナンバープレート自体、その傾き、記載されている文字部分）を抽出する（ステップＳ２２２）。次に、前記ナンバープレートに記載された文字を認識する（ステップＳ２２３）。文字認識に成功したか否かを判定し、「否」の場合には、ナンバープレートの傾きを計測する（ステップＳ２２４）。なお文字認識に成功した場合は、傾き、および視野幅に異常はないと判定する。
【００１８】
傾きの計測に際しては、車両４の移動方向あるいは処理領域５１内の画像の縦方向および横方向のエッジ、例えばナンバープレートの縦方向および横方向のエッジを抽出し、抽出したエッジ傾きから監視カメラ１の傾きを計測する（ステップＳ２２４）。次に、車両４のナンバープレート４１を認識し、認識したナンバープレートのサイズ（画像サイズに占める割合）から視野幅を計測する（ステップＳ２２５）。次に前記傾きの計測結果および視野幅の計測結果をもとに、撮影領域が適正であるか否かの判定を行い（ステップＳ２２６）、異常の場合は、表示部３に異常を発報する（ステップＳ２２７）。
【００１９】
図５は、監視カメラが撮影した撮影画像に、取り付け位置調整のための案内情報を付加した例を示す図である。図５に示すように、表示部３には、監視カメラ１が撮影した映像を表示する。また、撮影映像判定部２２で異常判定した場合、異常である旨の警告を表示し、さらに異常を回避するための位置調整方法を表示する。
【００２０】
このため、監視カメラを設置する作業者は、前記表示された調整方法にしたがって調整を行えばよく、簡単かつ迅速に取り付け作業および取り付け位置の調整作業を完了することができる。なお、撮影映像判定部２２は調整中においても前記調整方法を表示し、表示された調整を行い終えると、異常警告や調整方法が表示されなくすることにより、調整が正常に完了したことを確認できるようにすることができる。
【００２１】
図６は、本発明の第２の実施形態を説明する図である。図６に示すように車両監視装置は、監視カメラ１、画像処理装置２、および表示部３を備える。前記監視カメラ１は、照明装置１１、照明装置１１の発光量を制御する照明制御装置１２、カメラ１３、および監視対象車両４との距離を計測する超音波距離計等の距離計測器１４を備える。また、画像処理装置２は、画像処理部２１および撮影映像判定部２２を備える。なお、図において図１に示される部分と同一部分については同一符号を付してその説明を省略する。
【００２２】
本実施形態の車両監視装置は、第１の実施形態の車両監視装置に比して、監視カメラ１と車両４の距離を計測する距離計測器１４が付加されている。
【００２３】
距離計測器１４は、超音波距離計等を用いて車両４との距離Ｌを計測し、照明制御装置１２は、次式（１）
Ｐ＝Ｖ＊Ｉ（Ｉ＝ｆ（Ｌ））・・・・（１）
にしたがって、すなわち車両との距離Ｌにしたがって照明装置に供給する電力Ｐを調整して、その発光量を調整する。
【００２４】
式（１）は、照明制御部１２が車両４との距離に応じて、照明装置１１に流す電流Ｉを制御する式である。設定値Ｌ＝１５ｍを基準とし、車両位置がそれよりも遠ければ多くの電力を供給し、近ければ少ない電力を供給するという制御を行う。このように、照明装置１１の発光量を調整することにより、車両４との距離が異なっても、車両を常に画像処理に適した明るさに照明することができる。
【００２５】
図７は、距離に応じて電流値の増減を行う際の距離Ｌ＝１５±Ｘおよび照明装置に供給する電流Ｉの例を示す図である。基準とする距離Ｌとその際に照明装置に供給する電流Ｉを決定し、その基準とした距離と実際の距離との差異Ｘを電流Ｉに反映させるように制御する。
【００２６】
なお、距離計測器１４からの計測結果をカメラ１にフィードバックしてカメラ１のズーム調整、フォーカス調整を行うことにより距離が異なっても車両４を適正な撮影条件で撮影することができる。
【００２７】
以上説明したように、本発明の実施形態によれば、監視カメラの画像処理を考慮した適正な位置に被写体を配置することができる。また、監視カメラと被写体の距離が設置条件に対して変化する場合においても適正な明るさの撮影映像を得ることができる。このため、画像処理装置による認識誤りを抑制することができる。
【符号の説明】
【００２８】
１  監視カメラ
２  画像処理装置
３  表示部
４  車両
５  撮影映像
１１  照明装置
１２  照明制御部
１３  カメラ
１４  距離計測器
２１  画像処理部
２２  撮影画像判定部
４１  ナンバープレート
５１  処理領域
【図１】
0005603302.tif 000002
【図２】
0005603302.tif 000003
【図３】
0005603302.tif 000004
【図４】
0005603302.tif 000005
【図５】
0005603302.tif 000006
【図６】
0005603302.tif 000007
【図７】
0005603302.tif 000008